(57)【要約】【課題】不正な分解時にのみ記憶媒体を破壊する記憶装置を提供する。【解決手段】記憶媒体が収容部に収容され、該収容部内部が蓋部により閉じられ、記憶媒体が収容部と蓋部により外部から閉じられた状態に収容される記憶装置であって、蓋部を貫通するネジと、収容部内部に配置され、記憶媒体を破壊する流体を包容する流体包容部と、流体包容部と対向配置され、流体包容部を破損させる破損部とを有し、流体包容部と破損部のうち一方がネジに一体的に設けられてなる。【選択図】図４
2010146619.tif 000002
【特許請求の範囲】
【請求項１】
記憶媒体が収容部に収容され、該収容部内部が蓋部により閉じられ、前記記憶媒体が前記収容部と前記蓋部により外部から閉じられた状態に収容される記憶装置であって、
前記蓋部を貫通するネジと、
前記収容部内部に配置され、前記記憶媒体を破壊する流体を包容する流体包容部と、
前記流体包容部と対向配置され、前記流体包容部を破損させる破損部とを備え、
前記流体包容部と前記破損部のうち一方が前記ネジに一体的に設けられてなる記憶装置。
【請求項２】
前記破損部と前記流体包容部とは、前記ネジの締結完了状態で所定距離離間して対向配置され、前記ネジが前記ネジの締結完了方向から脱抜方向に前記所定距離だけ移動することにより、接触し、前記破損部が前記流体包容部を破損させる、
請求項１に記載の記憶装置。
【請求項３】
前記流体包容部は、前記蓋部の内壁面に設けられ、
前記破損部は、前記ネジの締結部の先端とネジ頭の間に設けられる、
請求項１または請求項２に記載の記憶装置。
【請求項４】
前記破損部は、前記蓋部の内壁面に設けられ、
前記流体包容部は、前記ネジの締結部の先端部とネジ頭の間に設けられる、
請求項１乃至請求項３のいずれかに記載の記憶装置。
【請求項５】
前記ネジは、締結部の先端が前記収容部に締結されて前記蓋部を前記収容部に固着させる第１ネジと、締結部の先端が前記収容部内部空間に位置する第２ネジとのうち、少なくとも一つ以上を含む、
請求項１乃至請求項４のいずれかに記載の記憶装置。
【発明の詳細な説明】
【技術分野】
【０００１】
本発明は、内部に記憶媒体を有する記憶装置に関するものである。
【背景技術】
【０００２】
コンピュータの外部記憶装置の一例として、ＨＤＤ（Hard Disk Drive）について説明する。
【０００３】
近年、ＨＤＤを使用した情報端末は、広く一般に普及している。ＨＤＤは、情報記録量、コスト面が他の記憶装置に比べ優れており、特に膨大なデータ量を記録する場合に用いられる。ＨＤＤには商業的に非常に価値の高い情報が記録される事も珍しくないため、盗難もしくは廃棄されたＨＤＤから情報を読み取り、悪用されるケースも増加している。そのため、ＨＤＤのユーザは、特に機密性の高い情報が記録されたＨＤＤを廃棄する場合、専用のデータ消去ソフトや機器を用いてフォーマットしたり、媒体を物理的に破壊してから廃棄したりする。また、盗難に対して、ＨＤＤのユーザは、ＨＤＤへのアクセスに複数のプロテクトを設けたり、データの暗号化処理をしたりする事で、ある程度の対応が可能となる。
【０００４】
なお、従来技術として、不正使用を阻止するハードディスク装置や開封を検知するハードディスク装置や高成分品の不正使用を防止する磁気カードリーダライタがある（例えば、特許文献１、特許文献２、特許文献３参照）。
【特許文献１】特開２００４−１０３２０１号公報
【特許文献２】特開２００４−５５０１９号公報
【特許文献３】特開平７−１６９１７５号公報
【発明の開示】
【発明が解決しようとする課題】
【０００５】
しかしながら、盗難について、対策が不十分なケースがある。例えば、高度な専門知識を有する者であれば、磁気ディスク装置を分解し、記録媒体を取り出してプロテクトの解除や暗号を解読し、情報を読み取る事が可能である。また、現在普及している、ＨＤＤ（Hard Disk Drive）リサイクル用のフォーマットソフトを用いたデータ消去は、消去が不完全なケースがあり、磁気ディスク装置のユーザが、特にプロテクトを設けずに、そのまま廃棄してしまう事がある。
【０００６】
上記のように盗難対策が不十分なＨＤＤが中古市場で購入され、そのＨＤＤのデータが復元されて個人情報が悪用される問題が年々増加している。そして、これらの問題はＨＤＤの分解が比較的容易にできることにも起因する。
【０００７】
上記の問題に対し、ＨＤＤを分解しようとすると、ＨＤＤに記録された情報が自動的に消去される機構が、提案されている。この場合、不正にＨＤＤが分解される際には有効であるが、ＨＤＤの故障等によりメーカが原因調査や修復等のための正規の分解を行う際、分解に必要な工程が増大するケースが多い。また、不正な分解を感知する様なセンサをＨＤＤに設ける手段も考えられているが、誤作動やコストが懸念される。
【０００８】
本発明は上述した問題点を解決するためになされたものであり、不正な分解時にのみ記憶媒体を破壊する記憶装置を提供することを目的とする。
【課題を解決するための手段】
【０００９】
上述した課題を解決するため、本発明の一態様は、記憶媒体が収容部に収容され、該収容部内部が蓋部により閉じられ、記憶媒体が収容部と蓋部により外部から閉じられた状態に収容される記憶装置であって、蓋部を貫通するネジと、収容部内部に配置され、記憶媒体を破壊する流体を包容する流体包容部と、流体包容部と対向配置され、流体包容部を破損させる破損部とを有し、流体包容部と破損部のうち一方がネジに一体的に設けられてなる。
【発明の効果】
【００１０】
開示の記憶装置によれば、不正な分解時にのみ記憶媒体を破壊することができる。
【発明を実施するための最良の形態】
【００１１】
以下、本発明の実施の形態について図面を参照しつつ説明する。
【００１２】
実施の形態のＨＤＤの構成について以下に説明する。
【００１３】
図１は、実施の形態のＨＤＤの筐体１１の構成の一例を示す平面図である。図２は、実施の形態のＨＤＤの蓋１２の構成の一例を示す平面図である。実施の形態のＨＤＤは、図２に示された蓋１２（蓋部）は、図１に示された筐体１１（ベースプレート、収容部）の上に被せられ、カバー密閉ネジ１４（固着ネジ）及び分解防止ネジ１５ａ（第１ネジ）により筐体１１に固定される。これにより筐体１１の内部（収容部内部）は、密閉される。磁気記録媒体２１（記憶媒体）、媒体駆動部２２、磁気ヘッド２３、ヘッド駆動部２４は、筐体１１の内部に格納される。
【００１４】
図１及び図２におけるネジ位置Ａ，Ｂ，Ｘはそれぞれ、分解防止ネジ１５ａ、分解防止ネジ１５ｂ（第２ネジ）、カバー密閉ネジ１４の位置を示す。分解防止ネジ１５ａの位置Ａは、筐体１２に固定可能な位置である。分解防止ネジ１５ｂの位置Ｂは、筐体１２に固定可能な位置でなくても良く、磁気記録媒体２１上などである。カバー密閉ネジ１４の位置Ｘは、筐体１１と蓋１２が密着する位置である。
【００１５】
図３は、実施の形態のＨＤＤにおけるカバー密閉ネジ１４付近の構成の一例を示す断面図である。この図において、図１と同一符号は図１に示された対象と同一又は相当物を示しており、ここでの説明を省略する。カバー密閉ネジ１４は、蓋１２を貫き、筐体１１内部のネジ穴（雌ネジ）へ締められて固定される。また、筐体１１内部の空間の気密性を保つために、筐体１１と蓋１２の間にパッキン１３が挿入されている。正規の分解者は、正規の分解方法として、カバー密閉ネジ１４を緩めて引き抜く。カバー密閉ネジ１４は、蓋１２と螺合しない。
【００１６】
図４は、実施の形態のＨＤＤにおける分解防止ネジ１５ａ付近の構成の一例を示す断面図である。この図において、図１と同一符号は図１に示された対象と同一又は相当物を示しており、ここでの説明を省略する。分解防止ネジ１５ａは、蓋１２を貫き、分解防止ネジ１５ａの先端の締結部だけは、筐体１１内部のネジ穴へ締められて固定される。この図は、分解防止ネジ１５ａと筐体１１の締結完了状態を示す。分解防止ネジ１５ａは、蓋１２と螺合しない。
【００１７】
図５は、実施の形態のＨＤＤにおける分解防止ネジ１５ｂ付近の構成の一例を示す断面図である。この図において、図１と同一符号は図１に示された対象と同一又は相当物を示しており、ここでの説明を省略する。分解防止ネジ１５ｂは、蓋１２を貫いているが筐体１１には固定されない。分解防止ネジ１５ｂは、蓋１２と螺合する。
【００１８】
分解防止ネジ１５ａの詳細について以下に説明する。
【００１９】
分解防止ネジ１５ａは、頭部側から順に、蓋１２、ガス容器３１（流体包容部）、突起固定部３３を貫いている。分解防止ネジ１５ａの締結部は、筐体１１のネジ穴へ締められて固定される。
【００２０】
ガス容器３１は、分解防止ネジ１５ａを通す穴を有し、蓋１２の内側（筐体１１内部側）の面（内壁面）に固定される。
【００２１】
ここで、カバー密閉ネジ１４のネジ山、分解防止ネジ１５ａの締結部のネジ山、カバー密閉ネジ１４及び分解防止ネジ１５ａの締結部が締結される筐体１１のネジ山は、右ネジである。一方、分解防止ネジ１５ａの締結部以外のネジ山は、左ネジである。これにより、分解防止ネジ１５ａが緩められる際に、突起固定部３３は、分解防止ネジ１５ａから抜け落ちない。なお、突起固定部３３は、分解防止ネジ１５ａに固定されていても良い。
【００２２】
突起部３２は、突起がガス容器３１を向くように、突起固定部３３のガス容器３１側の面に固定される。ここで、突起部３２及び突起固定部３３は、破損部に対応する。
【００２３】
突起３２及び突起固定部３３の材質は例えば、ステンレス鋼（Stainless steel、ＳＵＳ）である。
【００２４】
図６は、実施の形態のガス容器３１の構成の一例を示す断面図である。ガス容器３１は、容器本体４１、フィルム４２、腐食性ガス４３（流体）を有する。容器本体４１の開口は、フィルム４２により密閉される。容器本体４１内は、腐食性ガス４３で満たされている。容器本体４１及びフィルム４２の材質は例えば、ＰＴＦＥ（Polytetrafluoroethylene）等のフッ素系樹脂である。腐食性ガス４３の材質は例えば、硫化水素や亜硫酸等、磁気記録媒体の記録層を破壊できるものである。腐食性ガス４３の代わりに強酸性の液体など、短時間で磁気記録媒体２１の表面を改質または破壊できる物質を用いても良い。
【００２５】
ここで、筐体１１に固定されている分解防止ネジ１５ａの締結部の長さをＬ、分解前で分解防止ネジ１５ａが筐体１１に固定された状態において、分解防止ネジ１５ａに付随するガス容器３１と突起部３２の間の距離（所定距離）をＤａとする。
【００２６】
正規の分解者は、正規の分解方法として、分解防止ネジ１５ａの軸方向の移動距離がＬａより大きく且つＤａ以下になるように、分解者は分解防止ネジ１５ａを緩める。これにより、分解防止ネジ１５ａは筐体１１から離れ、且つガス容器３１は破られない。一方、正規の分解方法を知らない不正な分解者が分解防止ネジ１５ａを緩めることにより、分解防止ネジ１５ａの軸方向の移動距離がＤａを上回った場合、突起部３２がフィルム４２を破り、ガス容器３１から腐食性ガス４３が流出する。流出した腐食性ガス４３は、磁気記録媒体２１の記録層を破壊する。
【００２７】
分解防止ネジ１５ａの軸方向において、ガス容器３１の高さをＰａ、突起部３２のガス容器３１側から分解防止ネジ１５ａの先端までの高さをＱａとすると、所定の距離範囲は、Ｐａ＋Ｑａである。ここで、分解防止ネジ１５ａの先端と蓋１２の内壁面との距離がＰａ＋Ｑａ未満である状態で、突起部３２はフィルム４２に接触する。
【００２８】
なお、突起部３２によりフィルム４２が破られた際に腐食性ガス４３が拡散して磁気記録媒体２１の広い範囲へ到達しやすくするために、ガス容器３１は腐食性ガス４３に所定の圧力を掛けて高圧状態としても良い。
【００２９】
分解防止ネジ１５ｂの詳細について以下に説明する。
【００３０】
分解防止ネジ１５ｂは、分解防止ネジ１５ａと同様、頭部側から順に、蓋１２、ガス容器３１（流体包容部）、突起固定部３３を貫いている。但し、分解防止ネジ１５ｂは、筐体１１に固定されない。また、分解防止ネジ１５ｂは、蓋１２と螺合する。ここで、突起部３２及び突起固定部３３は、破損部に対応する。
【００３１】
ここで、分解前の状態において、分解防止ネジ１５ｂに付随するガス容器３１と突起部３２の間の距離をＤｂとする。Ｄｂは、Ｄａに比べて極めて短い。
【００３２】
正規の分解者は、正規の分解方法として、分解防止ネジ１５ｂを緩める必要がない。正規の分解方法を知らない不正な分解者が分解防止ネジ１５ｂを緩めることにより、分解防止ネジ１５ｂの軸方向の移動距離がＤｂを上回った場合、突起部３２がフィルム４２を破り、ガス容器３１から腐食性ガス４３が流出する。
【００３３】
分解防止ネジ１５ｂの軸方向において、ガス容器３１の高さをＰｂ、突起部３２のガス容器３１側から分解防止ネジ１５ｂの先端までの高さをＱｂとすると、所定の距離範囲は、Ｐｂ＋Ｑｂである。ここで、分解防止ネジ１５ｂの先端と蓋１２の内壁面との距離がＰｂ＋Ｑｂ未満である状態で、突起部３２はフィルム４２に接触する。
【００３４】
図１のＢに示されるように、磁気記憶媒体２１上の複数の箇所に分解防止ネジ１５ｂを設けることにより、不正な分解を行った場合に磁気記憶媒体２１の広い範囲の記録層を破壊することができる。
【００３５】
なお、ＨＤＤは、分解防止ネジ１５ａ，１５ｂのうちいずれか１種類のみを有しても良い。
【００３６】
また、上述した分解防止ネジ１５ａ付近の構成の代わりに次に示す分解防止ネジ１５ｃ（第１ネジ）付近の構成を用いても良い。
【００３７】
図７は、実施の形態のＨＤＤにおける分解防止ネジ１５ｃ付近の構成の一例を示す断面図である。この図において、図４と同一符号は図４に示された対象と同一又は相当物を示しており、ここでの説明を省略する。分解防止ネジ１５ｃは、蓋１２を貫き、分解防止ネジ１５ｃの先端の締結部だけは、筐体１１内部のネジ穴へ締められて固定される。分解防止ネジ１５ｃは、蓋１２と螺合しない。
【００３８】
分解防止ネジ１５ｃの詳細について以下に説明する。
【００３９】
分解防止ネジ１５ｃは、頭部側から順に、蓋１２、ガス容器３１、ガス容器固定部３５を貫いている。分解防止ネジ１５ｃの締結部は、筐体１１のネジ穴へ締められて固定される。この図は、分解防止ネジ１５ｃと筐体１１の締結完了状態を示す。
【００４０】
突起部３２は、突起がガス容器３１を向くように、蓋１２の内側（筐体１１内部側）の面（内壁面）に固定される。
【００４１】
ここで、分解防止ネジ１５ｃの締結部のネジ山は、右ネジである。一方、分解防止ネジ１５ｃの締結部以外のネジ山は、左ネジである。これにより、分解防止ネジ１５ｃが緩められる際に、ガス容器固定部３５は、分解防止ネジ１５ｃから抜け落ちない。なお、ガス容器固定部３５は、分解防止ネジ１５ｃに固定されていても良い。
【００４２】
ガス容器３１は、分解防止ネジ１５ｃを通す穴を有し、ガス容器固定部３５の蓋１２側の面に固定される。
【００４３】
ここで、筐体１１に固定されている分解防止ネジ１５ｃの締結部の長さをＬｃ、分解前で分解防止ネジ１５ｃが筐体１１に固定された状態において、分解防止ネジ１５ｃに付随するガス容器３１と突起部３２の間の距離をＤｃとする。
【００４４】
正規の分解者は、正規の分解方法として、分解防止ネジ１５ｃの軸方向の移動距離がＬｃより大きく且つＤｃ以下になるように、分解者は分解防止ネジ１５ｃを緩める。これにより、分解防止ネジ１５ｃは筐体１１から離れ、且つガス容器３１は破られない。一方、正規の分解方法を知らない不正な分解者が分解防止ネジ１５ｃを緩めることにより、分解防止ネジ１５ｃの軸方向の移動距離がＤｃを上回った場合、突起部３２がフィルム４２を破り、ガス容器３１から腐食性ガス４３が流出する。
【００４５】
分解防止ネジ１５ｃの軸方向において、突起部３２の高さをＰｃ、ガス容器３１の突起部３２側から分解防止ネジ１５ｃの先端までの高さをＱｃとすると、所定の距離範囲は、Ｐｃ＋Ｑｃである。ここで、分解防止ネジ１５ｃの先端と蓋１２の内壁面との距離がＰｃ＋Ｑｃ未満である状態で、突起部３２はフィルム４２に接触する。
【００４６】
本実施の形態によれば、ＨＤＤ（またはそれを有するコンピュータ）の盗難や予期せぬ廃棄が起き、且つＨＤＤを分解すると情報が読み取れられてしまう場合、不正な分解者が正規の分解方法と異なる分解方法を行うことにより、磁気記録媒体２１の磁気記録層を破壊し、情報の再生が不可能になり、情報が漏洩する事を防止する事ができる。正規の分解方法と異なる分解方法は例えば、分解者が分解防止ネジ１５ａまたは分解防止ネジ１５ｃを他のネジと同様に蓋から完全に取り外そうとした場合、あるいは取り外す必要のない分解防止ネジ１５ｂを取り外そうとした場合である。
【００４７】
また、本発明は、ＨＤＤ以外の磁気記憶装置やフラッシュメモリのような半導体記憶装置等に適用することが可能である。
【００４８】
なお、ネジは、分解防止ネジ１５ａ，１５ｂ，１５ｃに対応する。
【００４９】
本発明は、その精神または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【００５０】
以上の実施の形態に関し、更に以下の付記を開示する。
（付記１）
記憶媒体が収容部に収容され、該収容部内部が蓋部により閉じられ、前記記憶媒体が前記収容部と前記蓋部により外部から閉じられた状態に収容される記憶装置であって、
前記蓋部を貫通するネジと、
前記収容部内部に配置され、前記記憶媒体を破壊する流体を包容する流体包容部と、
前記流体包容部と対向配置され、前記流体包容部を破損させる破損部とを備え、
前記流体包容部と前記破損部のうち一方が前記ネジに一体的に設けられてなる記憶装置。
（付記２）
前記破損部と前記流体包容部とは、前記ネジの締結完了状態で所定距離離間して対向配置され、前記ネジが前記ネジの締結完了方向から脱抜方向に前記所定距離だけ移動することにより、接触し、前記破損部が前記流体包容部を破損させる、
付記１に記載の記憶装置。
（付記３）
前記流体包容部は、前記蓋部の内壁面に設けられ、
前記破損部は、前記ネジの締結部の先端とネジ頭の間に設けられる、
付記１に記載の記憶装置。
（付記４）
前記ネジは、前記破損部と螺合し、
前記ネジにおいて前記破損部と螺合する部分のネジ山の巻き方向は、前記ネジの先端部のネジ山の巻き方向と逆である、
付記３に記載の記憶装置。
（付記５）
前記破損部は、前記蓋部の内壁面に設けられ、
前記流体包容部は、前記ネジの締結部の先端部とネジ頭の間に設けられる、
付記１に記載の記憶装置。
（付記６）
前記ネジは、前記流体包容部と螺合し、
前記ネジにおいて前記流体包容部と螺合する部分のネジ山の巻き方向は、前記ネジの先端部のネジ山の巻き方向と逆である、
付記５に記載の記憶装置。
（付記７）
前記破損部は、前記流体包容部方向へ向く突起を有し、前記突起は、前記流体包容部に接触すると前記流体包容部を破損させる、
付記１に記載の記憶装置。
（付記８）
前記流体は、腐食性ガスである、
付記１に記載の記憶装置。
（付記９）
前記流体包容部は、前記流体に所定の圧力を掛ける、
付記１に記載の記憶装置。
（付記１０）
前記流体包容部は、前記破損部により破損された場合に前記流体が前記記憶媒体へ飛散する位置に設けられる、
付記１に記載の記憶装置。
（付記１１）
更に、
前記蓋部を貫通し、前記収容部内部の適所に締結されて、前記蓋部を前記収容部に固着させる固着ネジを備える、
付記１に記載の記憶装置。
（付記１２）
前記ネジは、締結部の先端が前記収容部に締結されて前記蓋部を前記収容部に固着させる第１ネジと、締結部の先端が前記収容部内部空間に位置する第２ネジとのうち、少なくとも一つ以上を含む、
付記１に記載の記憶装置。
（付記１３）
前記記憶媒体は、前記第２ネジの軸の延長線と交差する、
付記１２に記載の記憶装置。
（付記１４）
前記第２ネジは、前記蓋部と螺合する、
付記１２に記載の記憶装置。
【図面の簡単な説明】
【００５１】
【図１】実施の形態のＨＤＤの筐体１１の構成の一例を示す平面図である。
【図２】実施の形態のＨＤＤの蓋１２の構成の一例を示す平面図である。
【図３】実施の形態のＨＤＤにおけるカバー密閉ネジ１４付近の構成の一例を示す断面図である。
【図４】実施の形態のＨＤＤにおける分解防止ネジ１５ａ付近の構成の一例を示す断面図である。
【図５】実施の形態のＨＤＤにおける分解防止ネジ１５ｂ付近の構成の一例を示す断面図である。
【図６】実施の形態のガス容器３１の構成の一例を示す断面図である。
【図７】実施の形態のＨＤＤにおける分解防止ネジ１５ｃ付近の構成の一例を示す断面図である。
【符号の説明】
【００５２】
１１  筐体、１２  蓋、１３  パッキン、１４  カバー密閉ネジ、１５ａ，１５ｂ，１５ｃ  分解防止ネジ、２１  磁気記録媒体、２２  媒体駆動部、２３  磁気ヘッド、２４  ヘッド駆動部、３１  ガス容器、３２  突起、３３  突起固定部、３５  ガス容器固定部、４１  容器本体、４２  フィルム、４３  腐食性ガス。
【図１】
2010146619.tif 000003
【図２】
2010146619.tif 000004
【図３】
2010146619.tif 000005
【図４】
2010146619.tif 000006
【図５】
2010146619.tif 000007
【図６】
2010146619.tif 000008
【図７】
2010146619.tif 000009